(57)【要約】【課題】エスカレータ用踏段において、利用者の踏段上移動を有効に抑制することである。【解決手段】踏段１４は、利用者が乗載可能な踏板３０を備え、無端状連結部材であるチェーン１６により複数連結された状態で使用する。踏段１４は、踏板３０上の特定の部分が利用者の足で踏まれる毎に注意喚起音を発生する出力部であるスピーカー４６を含む踏段上移動抑止装置４８を備える。踏段上移動抑止装置４８は、踏板上の特定の部分が利用者の足で踏まれたことを検知可能で、検知信号を出力する圧力センサ５０ａ、５０ｂと、踏板３０上の特定の部分が利用者の足で連続して踏まれる時間が予め設定した所定時間内である場合に、スピーカー４６により注意喚起音を発生させる出力部作動手段とを含む。【選択図】図１
2012166937.tif 000002
【特許請求の範囲】
【請求項１】
利用者が乗載可能な踏板を備え、
無端状連結部材により複数連結された状態で使用されるエスカレータ用踏段であって、
踏板上の特定の部分が利用者の足で踏まれる毎に注意喚起出力を発生する出力部を含む踏段上移動抑止装置を備えることを特徴とするエスカレータ用踏段。
【請求項２】
請求項１に記載のエスカレータ用歩行抑止機能付踏段において、
出力部は、注意喚起出力である音または光を発する機能を有することを特徴とするエスカレータ用踏段。
【請求項３】
請求項２に記載のエスカレータ用踏段において、
踏段上移動抑止装置は、
踏板上の特定の部分が利用者の足で踏まれたことを検知可能で、検知信号を出力する検知部と、
踏板上の特定の部分が利用者の足で連続して踏まれる時間が予め設定した所定時間内である場合に、出力部により音または光を発生させる出力部作動手段とを含むことを特徴とするエスカレータ用踏段。
【請求項４】
請求項３に記載のエスカレータ用踏段において、
踏板は、
少なくとも左右方向片側半部に形成された孔部を有する枠体と、
枠体の孔部内に配置され、枠体に対し移動方向一端部に設けられた支持軸を中心とする揺動可能に支持された揺動板と、を含み、
揺動板と枠体との間に設けられ、揺動板に枠体に対して上方に変位する方向の弾力を付勢する弾力付与部を備え、
検知部は、揺動板が弾力付与部の弾力に抗して下方に変位した場合に作動し、検知信号を出力することを特徴とするエスカレータ用踏段。
【請求項５】
請求項３に記載のエスカレータ用踏段において、
検知部は、踏板上に設けられ、上側が遮光された場合に作動し、検知信号を出力する遮光感知センサを含むことを特徴とするエスカレータ用踏段。
【請求項６】
請求項２に記載のエスカレータ用踏段において、
出力部は、踏板の裏側に貼り付けるように設けられた発音部材であって、自由状態で弾性的に膨らみ、内側に空気溜まりを形成する膨出部と、膨出部に接続され、踏板の変形により膨出部が変形した場合に空気を吹き出すことで発音する吹き出し部とを含むことを特徴とするエスカレータ用踏段。
【請求項７】
請求項２に記載のエスカレータ用踏段において、
踏板は、踏板本体と、踏板本体の左右両端部の上側に支持された左右のデマケーションクリートとを含み、
踏段上移動抑止装置は、
踏板上の特定の部分である左右のデマケーションクリートのうち、対応するデマケーションクリートが利用者の足で踏まれたことを検知可能で、検知信号を出力する左右の検知部と、
左右のデマケーションクリートの少なくともいずれか１が利用者の足で踏まれた場合に、出力部により音または光を発生させる出力部作動手段とを含むことを特徴とするエスカレータ用踏段。
【請求項８】
請求項７に記載のエスカレータ用踏段において、
左右のデマケーションクリートは、
踏板本体の左右両端部上に移動方向一端部に設けられた支持軸を中心とする揺動可能に支持するように設けられており、
踏板本体の左右両端部と左右のデマケーションクリートとの間に設けられ、対応するデマケーションクリートに踏板本体に対して上方に変位する方向の弾力を付勢する左右の弾力付与部を備え、
左右の検知部は、対応するデマケーションクリートが対応する弾力付与部の弾力に抗して下方に変位した場合に作動し、検知信号を出力することを特徴とするエスカレータ用踏段。
【発明の詳細な説明】
【技術分野】
【０００１】
本発明は、利用者が乗載可能な踏板を備え、無端状連結部材により複数連結された状態で使用されるエスカレータ用踏段に関する。
【背景技術】
【０００２】
従来から、図１０に略断面図を示すようなエスカレータが考えられている。図１０に示すエスカレータは、例えば建物内に収容され、建物の上側階床と下側階床とにかけ渡すように配置されたトラス１０に設けられた移送手段１２を備え、移送手段１２により複数の踏段１４を移動自在としている。すなわち、複数の踏段１４に図示しない複数のステップ軸が支持されており、複数のステップ軸が、無端状連結部材であるチェーン１６により連結されている。また、各ステップ軸の左右両側（図１０の表裏両側）に支持された左右２個の駆動ローラ１８（図１０では左右の片側の駆動ローラ１８のみを示し、他側の駆動ローラを省略する。）が、左右で上下２本ずつの駆動レール２０ａ、２０ｂにより案内されている。なお、本明細書および特許請求の範囲の全体において、「左右」は、エスカレータの下側の乗降口から上側の乗降口を見た場合の左右である。なお、エスカレータは、屋外に設けられたものでもよい。
【０００３】
また、移送手段１２は、駆動機構２２と、エスカレータ駆動装置２４とを含む。駆動機構２２は、上記のチェーン１６とスプロケット２６，２８とを有する動力伝達機構を含む。エスカレータ駆動装置２４はモータを含み、駆動によりチェーン１６が駆動され、踏段１４を循環させる。このために上側、下側の２のスプロケット２６，２８の間にチェーン１６がかけ渡されている。図示の例では、エスカレータは、下降用であり、図１０に矢印αで示す方向に複数の踏段１４を循環させる。なお、エスカレータを上昇用とする場合には、図１０の矢印αと逆方向に複数の踏段を循環させる。
【０００４】
また、従来からエスカレータの踏段上での利用者の転倒の危険性を回避する手段が考えられている。例えば、特許文献１には、乗客がエスカレータに乗り込むときに転倒を回避するための転倒防止装置が記載されている。転倒防止装置は、エスカレータの乗り込み口の床板の前方に踏段である踏段の踏板の全面が現れる時点を検出する計測装置と、踏板の全面が現れる時点毎に音を発する報知装置とを備える。報知装置は、さらに、踏板の全面が現れる時点毎に光を発する発光器を備える。これにより、踏板の全面が現れる時点で乗り込む人に向けて鳴らされる音が歩を進めるときのリズムとして作用し、人が全面が現れた踏板の中央に足を載せて乗り込むことができ、踏段が上昇しても段差に足が載っていないので、エスカレータに乗り込むときに転倒の危険性がないとされている。
【先行技術文献】
【特許文献】
【０００５】
【特許文献１】特開２００６−３２７８０８号公報
【発明の概要】
【発明が解決しようとする課題】
【０００６】
特許文献１に記載された転倒防止装置は、エスカレータに人が乗り込む際の転倒の危険性を回避することを目的として考えられたものである。ただし、エスカレータでの利用者の転倒の状態としては、エスカレータに乗り込む際の利用者の足が踏段の段差に載ることにより転倒する場合の他、踏段に乗載する利用者が、次々に別の踏段に乗るように歩行したり、走ったりする際に段差に載ったり、つまづいたり、または立ち止まっている人の追い越し時にその人の肩等、身体にぶつかる等により転倒することも考えられる。このため、本発明者は、利用者の踏段上での歩行や走り等の踏段上移動を抑制することが利用者の転倒防止につながると考えた。ただし、特許文献１には、利用者の踏段上移動を抑制する有効な手段は開示されていない。
【０００７】
本発明の目的は、エスカレータ用踏段において、利用者の踏段上移動を有効に抑制することである。
【課題を解決するための手段】
【０００８】
本発明に係るエスカレータ用踏段は、利用者が乗載可能な踏板を備え、無端状連結部材により複数連結された状態で、エスカレータの踏段連結機構を構成するエスカレータ用踏段であって、踏板上の特定の部分が利用者の足で踏まれる毎に注意喚起出力を発生する出力部を含む踏段上移動抑止装置を備えることを特徴とするエスカレータ用踏段である。
【０００９】
また、本発明に係るエスカレータ用踏段において、好ましくは、出力部は、注意喚起出力である音または光を発する機能を有する。
【００１０】
また、本発明に係るエスカレータ用踏段において、好ましくは、踏段上移動抑止装置は、踏板上の特定の部分が利用者の足で踏まれたことを検知可能で、検知信号を出力する検知部と、踏板上の特定の部分が利用者の足で連続して踏まれる時間が予め設定した所定時間内である場合に、出力部により音または光を発生させる出力部作動手段とを含む。
【００１１】
また、本発明に係るエスカレータ用踏段において、好ましくは、踏板は、少なくとも左右方向片側半部に形成された孔部を有する枠体と、枠体の孔部内に配置され、枠体に対し移動方向一端部に設けられた支持軸を中心とする揺動可能に支持された揺動板と、を含み、揺動板と枠体との間に設けられ、揺動板に枠体に対して上方に変位する方向の弾力を付勢する弾力付与部を備え、検知部は、揺動板が弾力付与部の弾力に抗して下方に変位した場合に作動し、検知信号を出力する。
【００１２】
また、本発明に係るエスカレータ用踏段において、好ましくは、検知部は、踏板上に設けられ、上側が遮光された場合に作動し、検知信号を出力する遮光感知センサを含む。
【００１３】
また、本発明に係るエスカレータ用踏段において、好ましくは、出力部は、踏板の裏側に貼り付けるように設けられた発音部材であって、自由状態で弾性的に膨らみ、内側に空気溜まりを形成する膨出部と、膨出部に接続され、踏板の変形により膨出部が変形した場合に空気を吹き出すことで発音する吹き出し部とを含む。
【００１４】
また、本発明に係るエスカレータ用踏段において、好ましくは、踏板は、踏板本体と、踏板本体の左右両端部の上側に支持された左右のデマケーションクリートとを含み、踏段上移動抑止装置は、踏板上の特定の部分である左右のデマケーションクリートのうち、対応するデマケーションクリートが利用者の足で踏まれたことを検知可能で、検知信号を出力する左右の検知部と、左右のデマケーションクリートの少なくともいずれか１が利用者の足で踏まれた場合に、出力部により音または光を発生させる出力部作動手段とを含む。
【００１５】
また、本発明に係るエスカレータ用踏段において、好ましくは、左右のデマケーションクリートは、踏板本体の左右両端部上に移動方向一端部に設けられた支持軸を中心とする揺動可能に支持するように設けられており、踏板本体の左右両端部と左右のデマケーションクリートとの間に設けられ、対応するデマケーションクリートに踏板本体に対して上方に変位する方向の弾力を付勢する左右の弾力付与部を備え、左右の検知部は、対応するデマケーションクリートが対応する弾力付与部の弾力に抗して下方に変位した場合に作動し、検知信号を出力する。
【発明の効果】
【００１６】
本発明に係るエスカレータ用踏段によれば、利用者が複数の踏板の特定の部分を踏むように歩行等の踏段上移動すると、踏板を踏む毎に音または光等の注意喚起出力が発生するので、利用者の踏段上移動を有効に抑制できる。
【図面の簡単な説明】
【００１７】
【図１】本発明の第１の実施の形態に係る、ステップ軸に支持された踏段を示す略斜視図である。
【図２】図１の踏段の上方から下方に見た略図である。
【図３】踏板の端部を示す、図１の矢印Ａ方向に見た図である。
【図４】第１の実施の形態において、踏段が踏まれた場合に注意喚起出力を発生させる方法を示すフローチャートである。
【図５】本発明の第２の実施の形態に係る、ステップ軸に支持された踏段を部分的に示す略斜視図である。
【図６】図５の矢印Ｂ方向に見た略図である。
【図７】本発明の第３の実施の形態において、踏板の端部を示す、図３に対応する図である。
【図８】本発明の第４の実施の形態に係る踏段を構成する踏板の裏側に固定した発音部材を示す斜視図である。
【図９】本発明の第５の実施の形態に係る踏段の端部を示す、図３に対応する図である。
【図１０】従来から考えられているエスカレータの１例を示す略断面図である。
【発明を実施するための形態】
【００１８】
［第１の発明の実施の形態］
以下において、図面を用いて本発明に係る実施の形態につき詳細に説明する。図１から図４は、本発明の第１の実施の形態を示している。なお、踏段１４を除くエスカレータの基本構成自体は、上記の図１０に示した構造の場合と同様であるため、同等部分には同一符号を付して重複する図示および説明を省略もしくは簡略にする。
【００１９】
図１に示すように、複数の踏段１４は無端状連結部材であるチェーン１６により連結された状態で、エスカレータに組み込んで使用される。このような踏段１４は、それぞれ利用者が乗載可能な略矩形状の踏板３０と、踏板３０の外周に設けられた移動方向両端部である、一対の長辺部の一方の長辺部に略直角に結合するように設けられたライザー３２とを備える。また、踏段１４の左右方向（図１の矢印β方向）両端部裏側とライザー３２の左右両端の下端部とを結合するように補強部３４が設けられている。各補強部３４の上端部にステップ軸３６が、左右両端寄りを延出させるように支持されており、ステップ軸３６の左右両端部に駆動ローラ１８が回転可能に支持されている。各駆動ローラ１８は、トラスに設けられた、左右で上下２本ずつの駆動レール２０ａ、２０ｂ（図１０参照）により案内されている。
【００２０】
また、各補強部３４の下端部で、駆動ローラ１８と斜め上下方向に離れた部分に、２個の追従ローラ３８が回転可能に支持されている。各追従ローラ３８は、トラスに設けられた、左右で２個の環状の追従レール（図示せず）により案内されている。
【００２１】
また、図２に示すように、踏板３０上のライザー３２と反対側の長辺部には、黄色等の目立つ色が付された注意喚起部であるデマケーションコム４０が設けられている。また、踏板３０は、鉄、アルミニウム合金等の金属により構成される踏板本体４２と、踏板本体４２の左右両端部上にねじ等で固定された樹脂製のデマケーションクリート（以下、「デマクリート」という。）４４とを含む。図３に示すように、踏板本体４２及びデマクリート４４の上面には、櫛歯が形成されている。また、デマクリート４４の表面にも、黄色等の目立つ色の表示部が表示されている。また、ライザー３２（図１）の表面にも図示しない櫛歯が形成されている。
【００２２】
また、踏段１４は、踏板３０上の特定の部分が利用者の足で踏まれる毎に注意喚起出力である注意喚起音を発生する出力部であるスピーカー４６を含む踏段上移動抑止装置４８を備える。踏段上移動抑止装置４８は、上記のスピーカー４６と、検知部である左右の圧力センサ５０ａ、５０ｂと、制御部５２（図２）とを含む。図２に示すように、左右の圧力センサ５０ａ、５０ｂは、踏板３０の上面の左右両側に分かれた部分に設けられており、それぞれ図２に符号５０ａ、５０ｂを付した矩形状の範囲に複数の圧力センサ要素を有する。より具体的には、図３に示すように、片側の圧力センサ５０ａで代表して説明するが、圧力センサ５０ａは、櫛歯の先端面上に配置された複数の圧力センサ要素５４を有し、対応する圧力センサ５０ａで少なくともいずれか１の圧力センサ要素５４が上側から押圧された場合にそれを検出して、検出信号を制御部５２（図２）に出力する。このため、左右の圧力センサ５０ａ、５０ｂは、互いに独立した検出信号を制御部５２に出力可能である。また、左右の圧力センサ５０ａ、５０ｂは、それぞれ踏板３０上の特定の部分が利用者の足で踏まれたことを検知可能で、検知信号を制御部５２へ出力する。
【００２３】
図２に示す制御部５２は、ＣＰＵ，メモリ等を有するマイクロコンピュータを含むもので、出力部作動手段を有する。出力部作動手段は、踏板３０上の特定の部分である左右の圧力センサ５０ａ、５０ｂの少なくともいずれか１が利用者の足で連続して踏まれる時間が予め設定した所定時間内である場合に、スピーカー４６によりブザー音、電子音等の注意喚起音を所定の短時間だけ発生させる。このため、左右の圧力センサ要素５４が上側から連続して押圧される時間が所定時間を越える場合には、注意喚起音は発生されない。
【００２４】
次に、図４に示すフローチャートを用いて、本実施の形態の踏段において、踏段の特定部分が踏まれた場合に注意喚起音を発生させる方法を説明する。なお、本実施の形態において、図１から図３に示した要素と同一の要素には同一の符号を付して説明する。まず、図４のステップＳ１０（以下、ステップＳは単にＳという。）で、制御部５２の出力部作動手段は、踏段１４の特定部分である左右の圧力センサ５０ａ、５０ｂの少なくともいずれか１の圧力センサ５０ａ（または５０ｂ）が踏まれたか否かを判定する。圧力センサ５０ａ（または５０ｂ）が踏まれたと判定された場合に、Ｓ１２で、その圧力センサ５０ａ（または５０ｂ）が踏まれてから復帰、すなわち踏みがなくなるまでの時間がＡ秒（例えば１秒）以内か否かを判定する。Ｓ１２の判定結果が肯定であれば、出力部作動手段は、スピーカー４６に注意喚起音を所定の短時間だけ発生させ、処理を終了する。逆に、Ｓ１２の判定結果が否定であれば、出力部作動手段は注意喚起音を発生させることなく、処理を終了する。例えば圧力センサ５０ａ（または５０ｂ）の踏み続けられる時間がＡ秒を超えると、注意喚起音は発生しない。
【００２５】
このような本実施の形態の踏段によれば、利用者が複数の踏板３０の特定の部分である左右の圧力センサ５０ａ、５０ｂの少なくとも一方を踏むように歩行すると、踏板３０を踏む毎に音または光等の注意喚起音が発生し、断続的な注意喚起音が発生するので、利用者の周囲の人の注意が大きく引き付けられ、目立つので、利用者が踏段１４上で歩行したり、走ったりする踏段上移動するのをためらいやすくなる。このため、利用者の踏段１４上移動を有効に抑制できる。これに対して、踏段１４上を歩行しないで立ち止まって利用する利用者の場合、踏段１４上にＡ秒を越えて乗り続けるので、その利用者によってはその踏段１４で注意喚起音が発生することはない。なお、左右の圧力センサ５０ａ、５０ｂの検知部は、図１、図２に二点差線で示す広い領域に設けることもできる。
【００２６】
また、本実施の形態で、圧力センサ５０ａ、５０ｂが踏段１４の左右に独立して設けられているのは、もし１の踏段１４の左右にまたがるように１の圧力センサのみが設けられていると、踏段１４の左右の片側で立ち止まっている利用者がいれば、圧力センサが常にその利用者に踏まれ続ける状態となり、複数の踏段１４の左右の他側を歩行等、移動する利用者がいる場合でも、断続的な注意喚起音が発生せず、利用者の歩行を抑制することができないからである。逆にいえば、本実施の形態によれば、踏段１４の左右の片側で立ち止まっている利用者がいる場合でも、複数の踏段１４の左右の他側を歩行等、移動する利用者がいる場合に、その利用者の踏段上移動を判断できる。なお、本実施の形態において、踏段上移動抑止装置４８を構成する出力部は、音を発生するスピーカー４６に限定するものではなく、例えば光を発生する発光ダイオードや、ランプ、液晶表示部等の発光部等とすることもできる。この場合、出力部作動手段は、発光部により注意喚起出力である光を発生させるようにする。
【００２７】
［第２の発明の実施の形態］
次に、図５は、本発明の第２の実施の形態に係る、ステップ軸に支持された踏段を部分的に示す略斜視図である。また、図６は、図５の矢印Ｂ方向に見た略図である。
【００２８】
本実施の形態の場合、踏段１４の上部に設けられた踏板３０は、左右２個所に、それぞれ上下に揺動可能に設けられた揺動板５６ａ、５６ｂを含んでいる。すなわち、踏板３０は、左右方向両側半部にまたがるように設けられた上下に貫通する１の孔部５８を有する枠体６０と、枠体６０の孔部５８内に左右に並んで配置され、枠体６０に対し移動方向一端部（図５、図６の左端部）に設けられた水平方向の支持軸６２（図６）を中心とする、左右で独立した揺動可能に支持された左右の２の揺動板５６ａ、５６ｂとを含んでいる。また、踏段１４は、各揺動板５６ａ、５６ｂと枠体６０との間に設けられ、各揺動板５６ａ、５６ｂに枠体６０の移動方向他端部（図５、図６の右端部）に対して上方に変位する方向の弾力を付勢する弾力付与部であり、各揺動板５６ａ、５６ｂに対応して設けられた２のバネ６４と、踏段上移動抑止装置４８とを備える。各揺動板５６ａ、５６ｂは、自由状態、すなわち踏板３０が利用者により踏まれない状態で、図５、図６のように移動方向他端部が移動方向一端部よりもわずかに上方に上がるように傾斜している。
【００２９】
また、踏段上移動抑止装置４８は、出力部であるスピーカー４６（図１、図２参照）と、押圧検知部６６（図６）と、制御部５２（図２参照）とを含んでいる。図６に示すように、押圧検知部６６は、枠体６０に固定の部分で各揺動板５６ａ、５６ｂの下側に対向する２のリミットスイッチ等を含んでおり、各揺動板５６ａ、５６ｂの少なくとも１が対応するバネ６４の弾力に抗して下方に変位した場合に下に押圧されることで作動し、検知信号を制御部５２へ出力する。そして、制御部５２が有する出力部作動手段は、踏板３０上の特定の部分である左右の揺動板５６ａ、５６ｂの少なくとも一方が利用者の足で連続して踏まれる時間が予め設定した所定時間内である場合に、スピーカー４６により注意喚起音を発生させる。このような本実施の形態の場合も、上記の第１の実施の形態と同様に、利用者の踏段１４上での歩行等の移動を有効に抑制できる。また、踏板３０は、左右に独立して揺動する揺動板５６ａ、５６ｂを含んでいるので、上記の第１の実施の形態と同様に、踏段１４の左右の片側で立ち止まっている利用者がいる場合でも、複数の踏段１４の左右の他側を歩行する利用者がいる場合に、その利用者の歩行を判断できる。
【００３０】
なお、踏板３０は、左右に分かれた２の孔部を有し、各孔部のそれぞれに配置するように枠体６０に揺動板５６ａ、５６ｂを揺動可能に支持する構成とすることもできる。また、第１の実施の形態と同様に、出力部を発光部として、出力部作動手段は、発光部により注意喚起出力である光を発生させるようにすることもできる。その他の構成及び作用は、上記の第１の実施の形態と同様である。
【００３１】
［第３の発明の実施の形態］
図７は、本発明の第３の実施の形態において、踏板の端部を示す、図３に対応する図である。本実施の形態では、上記の図１から図４に示した第１の実施の形態において、踏板３０上に、圧力センサの代わりに検知部である遮光感知センサ６８が設けられている。すなわち、踏板３０の上面の左右両側に分かれた部分に左右の遮光感知センサ６８が設けられており、それぞれ矩形状の範囲に設けられた複数の遮光感知センサ要素７０を有する。より具体的には、各遮光感知センサ６８は、櫛歯の先端面上に配置された複数の遮光感知センサ要素７０を有し、各遮光感知センサ６８で少なくともいずれか１の遮光感知センサ要素７０が上側から押圧された場合にそれを検出して、検出信号を制御部５２（図２参照）に出力する。このため、各遮光感知センサ６８は、互いに独立した検出信号を制御部５２に出力可能である。図７では、左右の遮光感知センサ６８のうち、左側の遮光感知センサ６８のみを図示している。また、左右の遮光感知センサ６８は、それぞれ踏板３０上の特定の部分が利用者の足で踏まれたことを検知可能で、検知信号を制御部５２へ出力する。すなわち、踏段１４に設けられた検知部は、踏板３０上に設けられ、上側が遮光された場合に作動し、検知信号を出力する遮光感知センサ６８を含む。また、制御部５２は、踏板３０上の特定の部分が利用者に連続して踏まれる時間が予め設定した所定時間内である場合に、スピーカー４６（図１、図２）等の出力部により注意喚起音等の注意喚起出力を発生させる出力部作動手段を有する。
【００３２】
このように検知部として遮光感知センサ６８を含んでいる場合でも、利用者が遮光感知センサ６８の上に乗ることで、遮光感知センサ６８が上方からの光が遮られるとそれが検知可能となり、利用者の踏段１４上の歩行を感知できる。その他の構成及び作用は、上記の図１から図４に示した第１の実施の形態と同様である。
【００３３】
［第４の発明の実施の形態］
図８は、本発明の第４の実施の形態に係る踏段を構成する踏板の裏側に固定した発音部材を示す斜視図である。本実施の形態では、踏段１４（図１等参照）に設けられる出力部は、踏板３０（図１等参照）の裏側の中央部に１つのみ、または踏板３０の左右に分かれて１つずつの合計２つが固定された発音部材７２を含んでいる。図８は、発音部材７２を踏板３０の裏側、すなわち下側に固定した状態で下側から見た図に対応するものであり、踏板３０自体の図示を省略している。また、発音部材７２は、踏板３０の裏側に固定可能な板部７４と、板部７４の裏側（図８の上側）に膨出するように一体に設けられた膨出部７６と、円筒状の吹き出し部７８とを有する。発音部材７２は、全体が弾性変形可能、すなわち撓みやすい材料で、自由状態で膨出部７６の形状を保持可能な材料、例えば樹脂等により造られている。
【００３４】
より具体的には、発音部材７２は、踏板３０の裏側に貼り付けるように設けられるもので、膨出部７６は、自由状態で図８のように膨らんでおり、内側に空気溜まりを形成する。また、吹き出し部７８は、板部７４の一端側面から突出するように設けられたもので、板部７４内に形成された通路を通じて膨出部７６内に接続されている。このような吹き出し部７８は、踏板３０（図１等参照）の変形に伴って板部７４が例えば湾曲するように変形することで膨出部７６が潰れるように変形した場合に、膨出部７６から出る空気を吹き出すことで短時間発音する。
【００３５】
このように踏段１４に発音部材７２が設けられる場合、例えば利用者が踏板３０の左右片側に乗ることにより、板部７４が変形し発音部材７２が作動して発音する。このため、利用者が複数の踏板３０の特定の部分を踏むように歩行等、移動すると、踏板３０を踏む毎に注意喚起出力である注意喚起音が発生する。したがって、利用者が踏段１４上で歩行等、移動すると、踏板３０が踏まれる度に対応する発音部材７２が発音するので、利用者の周囲の人の注意が大きく引き付けられて、利用者の踏段１４上移動を有効に抑制できる。なお、発音部材７２は、図８に示す形状に限定するものではなく踏段の踏板３０が踏まれることで変形して発音するものであれば種々の構成を採用できる。例えば、発音部材７２は踏板３０と一体に形成されたものでもよい。また、上記の図５、図６に示したように、踏段１４が枠体６０と揺動板５６ａ、５６ｂとを含む場合に、揺動板５６ａ、５６ｂの下側で枠体６０に固定の部分との間に、例えば図８の発音部材７２を、膨出部７６が上側となる向きで設けられる構成とすることもできる。この場合、揺動板５６ａ、５６ｂの少なくとも一方が利用者に踏まれることで押し下げられ、膨出部７６が潰れることで吹き出し部７８から空気が吹き出されて発音可能とすることもできる。このような発音部材７２を使用する場合、上記の図１から図４の第１の実施の形態と異なり、スピーカー４６（図１、図２）や制御部５２（図２）を設ける必要がなくなる。その他の構成及び作用は、上記の第１の実施の形態と同様である。
【００３６】
［第５の発明の実施の形態］
図９は、本発明の第５の実施の形態に係る踏段の端部を示す、図３に対応する図である。本実施の形態では、踏板３０は、櫛歯が形成された踏板本体４２と、踏板本体４２の左右両端部に揺動可能に支持された左右のデマクリート８０（図９では、左側のデマクリート８０のみを図示している。）とを含んでいる。このために各デマクリート８０は、踏板本体４２の左右両端部の上面に設けられた移動方向（図９の表裏方向）に長い凹部内に少なくとも一部が配置されている。また、各デマクリート８０は、踏板本体４２の左右両端部上に、移動方向一端部（図９の裏側端部）に設けられた水平方向の支持軸を中心とする揺動可能に支持するように設けられている。また、踏段１４は、踏板本体４２の左右両端部と左右のデマクリート８０との間に設けられ、対応するデマクリート８０の移動方向他端部（図９の表側端部）に、踏板本体４２に対して上方に変位する方向の弾力を付勢する左右の弾力付与部であるバネ８２と、踏段上移動抑止装置４８とを備えている。
【００３７】
各デマクリート８０は、自由状態、すなわちデマクリート８０が利用者により踏まれない状態で、図９のように移動方向他端部が移動方向一端部よりもわずかに上方に上がるように傾斜している。また、踏段上移動抑止装置４８は、踏段１４に設けられた出力部であるスピーカー４６（図１、図２等参照）と、左右の押圧検知部８４と、制御部５２（図２参照）とを含む。各押圧検知部８４は、各デマクリート８０と踏板本体４２との間に設けられたリミットスイッチ等である。各押圧検知部８４は、対応するデマクリート８０が対応するバネ８２の弾力に抗して下方に変位した場合に押圧されて作動し、検知信号を制御部５２へ出力する。制御部５２は、左右の押圧検知部８４の少なくとも１から、対応するデマクリート８０が踏まれたことを表す検知信号が入力された場合に、スピーカー４６により注意喚起出力である注意喚起音を出力する出力部作動手段を有する。なお、出力部作動手段は、ＣＰＵやメモリを有するものではなく、単に回路部により構成することもできる。
【００３８】
このように踏板３０は、踏板本体４２と、踏板本体４２の左右両端部の上側に支持された左右のデマクリート８０とを含む。また、踏段上移動抑止装置４８は、踏板３０上の特定の部分である左右のデマクリート８０のうち、対応するデマクリート８０が利用者の足で踏まれたことを検知可能で、検知信号を出力する左右の押圧検知部８４と、出力部作動手段とを含む。出力部作動手段は、左右のデマクリート８０の少なくともいずれか１が利用者の足で踏まれた場合に、出力部であるスピーカー４６により電子音、ブザー音や、警告を報知するアナウンス音等の注意喚起音を発生させる。
【００３９】
このような踏段１４の場合、踏段１４上を歩行等、移動することで踏段１４の左右両端部分を踏みやすい、踏段上移動する利用者がいる場合でも、デマクリート８０が踏まれることで注意喚起音が出力されるので、周囲の人の注意が大きく引き付けられ利用者の踏段上移動を抑制できる。デマクリート８０を踏まないように利用者が左右の中央側に寄ると、他の利用者がこの利用者を避けるように歩行等、移動することが難しくなるので、踏段上移動抑制効果が高くなる。なお、出力部を発光部として、出力部作動手段は、発光部により注意喚起出力である光を発生させるようにすることもできる。また、このように揺動可能なデマクリート８０を設けるのではなく、デマクリート８０が上記の第１の実施の形態のように踏板本体４２に固定されている場合でも、デマクリート８０上に圧力センサや遮光感知センサを設けることで、押圧検知部を構成することもできる。その他の構成及び作用は、上記の図１から図４に示した第１の実施の形態と同様である。
【００４０】
なお、本実施の形態において、踏板で左右のデマクリート８０を、本来必要とされる領域以上に中央側に広げて幅広に設けることで、より利用者を左右の中央側に寄せて利用者の踏段上での歩行等の移動をより抑制するようにすることもできる。
【符号の説明】
【００４１】
１０  トラス、１２  移送手段、１４  踏段、１６  チェーン、１８  駆動ローラ、２０ａ，２０ｂ  駆動レール、２２  駆動機構、２４  エスカレータ駆動装置、２６，２８  スプロケット、３０  踏板、３２  ライザー、３４  補強部、３６  ステップ軸、３８  追従ローラ、４０  デマケーションコム、４２  踏板本体、４４  デマケーションクリート（デマクリート）、４６  スピーカー、４８  踏段上移動抑止装置、５０ａ，５０ｂ  圧力センサ、５２  制御部、５４  圧力センサ要素、５６ａ，５６ｂ  揺動板、５８  孔部、６０  枠体、６２  支持軸、６４  バネ、６６  押圧検知部、６８  遮光感知センサ、７０  遮光感知センサ要素、７２  発音部材、７４  板部、７６  膨出部、７８  吹き出し部、８０  デマケーションクリート（デマクリート）、８２  バネ、８４  押圧検知部。
【図１】
2012166937.tif 000003
【図２】
2012166937.tif 000004
【図３】
2012166937.tif 000005
【図４】
2012166937.tif 000006
【図５】
2012166937.tif 000007
【図６】
2012166937.tif 000008
【図７】
2012166937.tif 000009
【図８】
2012166937.tif 000010
【図９】
2012166937.tif 000011
【図１０】
2012166937.tif 000012